(57)【要約】      （修正有）【課題】分散効果が高く、使用寿命が長い鶏糞分散装置の提供。【解決手段】鶏糞分散装置は、内部に二つの回転軸２が設けられるケース１を含み、ケース外には、二つの回転軸を互いに反対方向へ回転するように同時に駆動するための駆動源３が設けられ、二つの回転軸外には、対応する回転軸の軸線の周りに均等に分布する複数の軸体４が設けられ、軸体は、接続具５により回転軸に固定して接続され、各軸体には、複数のピック６が設けられ、ピックは、長手方向が軸体の軸方向に直交して設けられ、ピックは、一端が軸体に固定して接続され、二つの回転軸において隣り合う二つの軸体上のピックは、位置がずれて設けられ、ピックの中部が片側に凹むことにより、断面が円弧状である溝が形成され、溝の軸線は、軸体の軸線に直交して設けられ、溝内には、ブロック体が係合して接続される。【選択図】図１
2022001360.tif 000002
【特許請求の範囲】
【請求項１】
頂部及び底部のいずれも開口するケースを含む鶏糞分散装置であって、
前記ケース内には、水平に回転可能な二つの回転軸が並列に設けられ、
二つの前記回転軸の間には、分散領域が形成され、
前記ケース外には、二つの前記回転軸を互いに反対方向へ回転するように同時に駆動するための駆動源が設けられ、
二つの前記回転軸外には、対応する前記回転軸の軸線の周りに均等に分布する複数の軸体が設けられ、
前記軸体は、軸線が前記回転軸の軸方向に延在するとともに、接続具により前記回転軸に固定して接続され、
各前記軸体には、対応する前記軸体の軸線に沿って等間隔を空けて分布する複数のピックが設けられ、
前記ピックは、長手方向が軸体の軸方向に直交して設けられる長尺状のものであって、一端が軸体に固定して接続され、
二つの前記回転軸において隣り合う二つの前記軸体上のピックは、位置がずれて設けられ、
前記ピックの中部が片側に凹むことにより、断面が円弧状である溝が形成され、
前記溝の軸線は、前記軸体の軸線に直交して設けられ、
前記溝内には、剛性材料からなるブロック体が係合して接続され、
前記溝から離間する前記ブロック体の一側には、前記溝外に位置するとともに長手方向が前記溝の軸方向に沿って延在する凸片が一体成形され、
前記溝上には、第１孔が貫通して形成され、
前記ブロック体上には、前記第１孔に対応して第２孔が形成され、
第１孔と第２孔とによって、軸体の軸方向に沿う接続孔が形成され、
前記ブロック体と前記溝とは、射出成型により接続孔内に一体成形されるプラスチック柱によって接続されて一体となる、
ことを特徴とする鶏糞分散装置。
【請求項２】
前記接続孔の両端は、それぞれ前記ブロック体と前記溝に位置するとともに、孔径がいずれも前記接続孔の中部の孔径よりも大きい、
ことを特徴とする請求項１に記載の鶏糞分散装置。
【請求項３】
前記ピック上には、前記軸体が挿通可能な貫通孔が形成され、
前記軸体は、側壁が前記貫通孔の孔壁に密着するとともに、熔接により前記ピックに固定して接続される、
ことを特徴とする請求項１に記載の鶏糞分散装置。
【請求項４】
前記接続孔は、少なくとも二つ有するとともに、前記ピックの長手方向に沿って均等に分布し、
各前記接続孔内には、各前記プラスチック柱が形成される、
ことを特徴とする請求項１から請求項３のいずれか１項に記載の鶏糞分散装置。
【請求項５】
前記駆動源は、二つの前記回転軸の配置方向に沿って分布する二つの第１モータであり、
二つの前記回転軸は、いずれも二つの前記第１モータの間に位置し、
前記第１モータは、ベルト伝動又はチェーン伝動により対応する回転軸を駆動して回転させる、
ことを特徴とする請求項１に記載の鶏糞分散装置。
【請求項６】
前記駆動源は、主軸のそれぞれが軸継手により二つの前記回転軸の一端に接続される二つの第２モータである、
ことを特徴とする請求項１に記載の鶏糞分散装置。
【請求項７】
前記回転軸外には、軸方向に沿って分布する複数の環状体が設けられ、
前記環状体は、前記接続具であり、前記回転軸に固定して接続され、
前記環状体には、前記軸体が挿通可能な取付孔が形成され、
同一の前記回転軸において、各前記環状体の前記取付孔と前記軸体とは、両者の数が同じであり、両者の位置が対応し、
前記環状体は、前記軸体に固定して接続される、
ことを特徴とする請求項１に記載の鶏糞分散装置。
【発明の詳細な説明】
【技術分野】
【０００１】
本発明は、機械技術領域に属し、分散装置に関し、特に鶏糞分散装置に関する。
【背景技術】
【０００２】
現在、多くの菌類は、完全に培地中の栄養素に依存して成長し、発達する。既存の菌用培養培地は、一般に飼料と糞からなり、飼料と糞に水を加えて混合することにより作製されるものである。既存の培地は、一般に人工により作製される。全工程は、飼料分散、補助材料分散、及び飼料と補助材料の混合に分けられる。前記工程は、効率が低く、労力消費が大きく、分散効果が低いため、混合効果が低くなる。
【先行技術文献】
【特許文献】
【０００３】
【特許文献１】中国特許出願公開第１１９９７１９号明細書
【発明の概要】
【０００４】
本発明の目的は、従来技術のおける前述した問題について、分散効果がよく、使用寿命が長い鶏糞分散装置を提供することにある。
【０００５】
本発明のある態様によれば、鶏糞分散装置は、頂部及び底部のいずれも開口するケースを含み、前記ケース内には、水平に回転可能な二つの回転軸が並列に設けられ、二つの前記回転軸の間には、分散領域が形成され、前記ケース外には、二つの前記回転軸を互いに反対方向へ回転するように同時に駆動するための駆動源が設けられ、二つの前記回転軸外には、対応する前記回転軸の軸線の周りに均等に分布する複数の軸体が設けられ、前記軸体は、軸線が前記回転軸の軸方向に延在するとともに、接続具により前記回転軸に固定して接続され、各前記軸体には、対応する前記軸体の軸線に沿って等間隔を空けて分布する複数のピックが設けられ、前記ピックは、長手方向が軸体の軸方向に直交して設けられる長尺状のものであって、一端が軸体に固定して接続され、二つの前記回転軸において隣り合う二つの前記軸体上のピックは、位置がずれて設けられ、前記ピックの中部が片側に凹むことにより、断面が円弧状である溝が形成され、前記溝の軸線は、前記軸体の軸線に直交して設けられ、前記溝内には、剛性材料からなるブロック体が係合して接続され、前記溝から離間する前記ブロック体の一側には、前記溝外に位置するとともに長手方向が前記溝の軸方向に沿って延在する凸片が一体成形され、前記溝上には、第１孔が貫通して形成され、前記ブロック体上には、前記第１孔に対応して第２孔が形成され、第１孔と第２孔とによって、軸体の軸方向に沿う接続孔が形成され、前記ブロック体と前記溝とは、射出成型により接続孔内に一体成形されるプラスチック柱によって接続されて一体となる。
【０００６】
本発明のある態様によれば、ピックの一方側に凸片を設けることにより、回転軸の径向及び軸方向のいずれにおいても分散することができ、分散効果が向上する。また、ブロック体は、プラスチック柱によりピックと一つの全体を形成する。これにより、ブロック体とピックとの間に弾性接続が形成されるとともに、ピックの中部は、剛性と弾性を両立することができ、これにより、ピックが受ける応力が有効に緩衝され、ピックの使用寿命及び位置決め強度が向上し。装置全体の使用寿命が向上する。
【０００７】
本発明のある態様によれば、前記鶏糞分散装置において、前記接続孔の両端は、それぞれ前記ブロック体と前記溝に位置するとともに、孔径がいずれも前記接続孔の中部の孔径よりも大きい。これにより、プラスチック柱は、縮径構造となるように形成されるため、ピックとロック体とが互いに反対方向へ運動することが制限され、ピックとブロック体との接続安定性が向上する。
【０００８】
本発明のある態様によれば、前記鶏糞分散装置において、前記ピック上には、前記軸体が挿通可能な貫通孔が形成され、前記軸体は、側壁が前記貫通孔の孔壁に密着するとともに、熔接により前記ピックに固定して接続される。
【０００９】
本発明のある態様によれば、前記鶏糞分散装置において、前記接続孔は、少なくとも二つ有するとともに、前記ピックの長手方向に沿って均等に分布し、各前記接続孔内には、各前記プラスチック柱が形成される。
【００１０】
本発明のある態様によれば、前記鶏糞分散装置において、前記駆動源は、二つの前記回転軸の配置方向に沿って分布する二つの第１モータであり、二つの前記回転軸は、いずれも二つの前記第１モータの間に位置し、前記第１モータは、ベルト伝動又はチェーン伝動により対応する回転軸を駆動して回転させる。
【００１１】
本発明のある態様によれば、前記鶏糞分散装置において、前記駆動源は、主軸のそれぞれが軸継手により二つの前記回転軸の一端に接続される二つの第２モータである。
【００１２】
本発明のある態様によれば、前記鶏糞分散装置において、前記回転軸外には、軸方向に沿って分布する複数の環状体が設けられ、前記環状体は、前記接続具であり、前記回転軸に固定して接続され、前記環状体には、前記軸体が挿通可能な取付孔が形成され、同一の前記回転軸において、各前記環状体の前記取付孔と前記軸体とは、両者の数が同じであり、両者の位置が対応し、前記環状体は、前記軸体に固定して接続される。
【００１３】
従来技術に比べ、本鶏糞分散装置は、ピックの一方側に凸片が設けられることにより、回転軸の径向及び軸方向のいずれにおいても分散することができ、分散効果が向上する。また、ブロック体は、プラスチック柱によりピックと一つの全体を形成する。これにより、ブロック体とピックとの間に弾性接続が形成されるとともに、ピックの中部は、剛性と弾性を両立することができ、これにより、ピックが受ける応力が有効に緩衝され、ピックの使用寿命及び位置決め強度が向上し。装置全体の使用寿命が向上する。
【図面の簡単な説明】
【００１４】
【図１】本発明の実施例に係る本鶏糞分散装置の構造模式斜視図である。
【図２】図１のＡの部分の拡大構造模式図である。
【図３】本発明の実施例に係るブロック体と、ピックと、プラスチック柱との接続構造模式図である。
【図４】本発明の実施例に係るブロック体とピックとの接続構造模式図である。
【発明を実施するための形態】
【００１５】
以下、図面を参照しながら本発明に係る具体実施例について説明する。以下の内容は、本発明の技術手段についてさらに詳しく説明するものであり、本発明を限定するものではない。
【００１６】
実施例１
本鶏糞分散装置は、頂部及び底部のいずれも開口するケース１を含む。ケース１内には、水平に回転可能な二つの回転軸２が並列に設けられる。二つの回転軸２の間には、分散領域が形成される。ケース１外には、二つの回転軸２を互いに反対方向へ回転するように同時に駆動するための駆動源が設けられる。
【００１７】
具体的には、本実施例において、回転軸２の両端は、いずれも軸受によりケース１に回転可能に接続される。駆動源は、いずれもケース１に固定して接続される二つの第１モータ３である。二つの第１モータ３は、二つの回転軸２がいずれも二つの第１モータ３の間に位置するように、二つの回転軸２の配置方向に沿って分布する。第１モータ３は、ベルト伝動又はチェーン伝動により対応する回転軸２を駆動して回転させる。図１に示すように、二つの回転軸２外には、対応する回転軸２の軸線の周りに均等に分布する複数の軸体４が設けられる。軸体４は、軸線が回転軸２の軸方向に延在するとともに、接続具により回転軸２に固定して接続される。本実施例において、二つの回転軸２外には、軸方向に沿って分布する複数の環状体５が設けられる。なお、環状体５は、前記接続具であり、回転軸２に固定して接続される。環状体５には、軸体４が挿通可能な貫通状の取付孔が形成される。同一回転軸２上において、各環状体５の取付孔と軸体４とは、両者の数が同じであり、両者の位置が対応である。環状体５は、軸体４に固定して接続される。
【００１８】
図１、図２及び図３に示すように、各軸体４上には、いずれも対応する軸体４の軸線に沿って等間隔を空けて分布する複数のピック６が設けられる。ピック６は、長手方向が軸体４の軸方向に直交して設けられる長尺状のものであって、一端が軸体４に固定して接続される。また、二つの回転軸２において隣り合う二つの軸体４上のピック６は、位置がずれて設けられる。また、本実施例において、ピック６上には、軸体４が挿通可能な貫通孔が形成される。軸体４は、側壁が貫通孔の孔壁に密着するとともに、熔接によりピック６に固定して接続される。図１に示すように、ピック６の中部が片側に凹むことにより、断面が円弧状である溝６ａが形成される。溝６ａは、軸線が軸体４の軸線に直交して設けられるとともに、両端がいずれも開口する。溝６ａ内には、形状及びサイズがいずれも溝６ａとマッチングするブロック体７が係合して接続される。ブロック体７は、剛性材料で作製される。溝６ａから離間するブロック体７の一側には、溝６ａ外に位置するとともに長手方向が溝６ａの軸方向に沿って延在する凸片７ａが一体成型される。溝６ａ上には、第１孔６ａ１が貫通して形成される。ブロック体７上には、第１孔６ａ１に対応して第２孔７ｂが形成される。第１孔６ａ１と第２孔７ｂとによって、軸体４の軸方向に沿う接続孔が形成される。ブロック体７と溝６ａとは、射出成型により接続孔内に一体成型されるプラスチック柱８によって接続されて一体となる。なお、本実施例において、剛性材料は、ステンレス鋼材である。
【００１９】
ピック６の一方側に凸片７ａが設けられることにより、回転軸２の径向及び軸方向のいずれにおいても分散することができ、分散効果が向上する。また、ブロック体７とピック６とは、プラスチック柱８により一体となる。これにより、ブロック体７とピック６との間に弾性接続が形成されるとともに、ピック６の中部は、剛性と弾性を両立することができ、これにより、ピック６が受ける応力が有効に緩衝され、ピック６の使用寿命及び位置決め強度が向上し。装置全体の使用寿命が向上する。
【００２０】
さらに、図４に示すように、接続孔は、少なくとも二つ有するとともに、ピック６の長手方向に沿って均等に分布する。各接続孔内には、各プラスチック柱８が形成される。接続孔の両端は、それぞれブロック体７と溝６ａに位置するとともに、孔径がいずれも接続孔の中部の孔径よりも大きい。これにより、プラスチック柱８は、縮径構造となるように形成されるため、ピック６とブロック体７とが互いに反対方向へ運動することが制限され、ピック６とブロック体７との接続安定性が向上する。
【００２１】
実施例２
本発明の他の態様によれば、駆動源は、二つの第２モータである。前記鶏糞分散装置において、第２モータの主軸のそれぞれが軸継手により二つの回転軸２の一端に接続される。
【００２２】
上記の実施例は、本発明の精神を単に説明するための好適実施例である。当業者は、本発明の趣旨及び特許請求の範囲によって保護される範囲から逸脱することなく多くの形態を作ることができ、それらはすべて本発明による保護に含まれる。
【符号の説明】
【００２３】
１：ケース
２：回転軸
３：第１モータ
４：軸体
５：環状体
６：ピック
６ａ：溝
６ａ１：第１孔
７：ブロック体
７ａ：凸片
７ｂ：第２孔
８：プラスチック柱
【図１】
2022001360.tif 000003
【図２】
2022001360.tif 000004
【図３】
2022001360.tif 000005
【図４】
2022001360.tif 000006